(57)【要約】      （修正有）【課題】粘着式カーペットクリーナーのローラーの厚く固い紙管は、使用後の廃棄処理が困難で、かつ輸送時にかさばり輸送効率が悪く、社会的要求に反するので、省エネタイプの粘着式カーペットクリーナーを実現化。【解決手段】クリーナ用粘着式ローラーの紙管をトイレットペーパーの紙管と同程度に極端に薄くし、クリーナ用粘着式ローラーを輸送する際に、クリーナ用粘着式ローラーを楕円形に押しつぶした形状で輸送する。【効果】材料を節約し、廃棄処理を容易にし、輸送コストを節減して、安価に提供するとともに省エネに効果がある。【選択図】図１
2010269110.tif 000002
【特許請求の範囲】
【請求項１】
粘着式カーペットクリーナーにおいて、クリーナ用粘着式ローラーの紙管をトイレットペーパーの紙管と同程度に極端に薄くすることにより、材料の節減と使用後の廃棄の利便性を考慮するとともに、クリーナ用粘着式ローラーを輸送する際に、クリーナ用粘着式ローラーを楕円形に押しつぶした形状で輸送することを特徴とするエコタイプ粘着式カーペットクリーナー
【請求項２】
請求項１のエコタイプ粘着式カーペットクリーナーにおいて、ローラー把手器具のローラー部のクリーナ用粘着式ローラーを差し込む側の形状を先細にすることを特徴とするエコタイプ粘着式カーペットクリーナー
【請求項３】
請求項１のエコタイプ粘着式カーペットクリーナーにおいて、クリーナ用粘着式ローラーを輸送する際に、クリーナ用粘着式ローラーを楕円形に押しつぶし易くするために、クリーナ用粘着式ローラーの粘着テープをローラーの軸芯方向に切り裂き、クリーナ用粘着式ローラーの紙管の一部が露出する形状にすることを特徴とするエコタイプ粘着式カーペットクリーナー
【請求項４】
請求項１のエコタイプ粘着式カーペットクリーナーにおいて、クリーナ用粘着式ローラーを輸送する際に、クリーナ用粘着式ローラーを楕円形に押しつぶし易くするために、クリーナ用粘着式ローラーの紙管を取り除くコアレスタイプとすることを特徴とするエコタイプ粘着式カーペットクリーナー
【発明の詳細な説明】
【技術分野】
【０００１】  この発明は粘着式カーペットクリーナーにおいて、省エネを目的としたエコタイプ粘着式カーペットクリーナーに関するものである。
【背景技術】
【０００２】  従来この種の粘着式カーペットクリーナーは、クリーナ用粘着式ローラーの紙管は強度を保持するために厚く固い紙管が使用され、特に業務用の大型の粘着式カーペットクリーナーでは、クリーナ用粘着式ローラーの紙管がかなり厚く固い状況にあるにもかかわらず、この種の業界ではごく当たり前のこととして常用されている。
【発明の開示】
【発明が解決しようとする課題】
【０００３】  粘着式カーペットクリーナーのクリーナ用粘着式ローラーの厚く固い紙管は、使用後の廃棄処理が困難で、かつ業務用の大型の粘着式カーペットクリーナーでは、クリーナ用粘着式ローラーの輸送時にかさばり、いわゆるクリーナ用粘着式ローラーの紙管内部に存在する空気を運ぶこととなって輸送効率が悪く、今日の省エネの社会的要求に相反する状況となっている。
【課題を解決するための手段】
【０００４】本発明は、上記の課題を解決するために考案したもので、▲１▼クリーナ用粘着式ローラーの紙管をトイレットペーパーの紙管と同程度に極端に薄くすることにより、材料の節減と使用後の廃棄の利便性を考慮するとともに、クリーナ用粘着式ローラーを輸送する際に、クリーナ用粘着式ローラーを楕円形に押しつぶした形状で輸送すること、▲２▼ローラー把手器具のローラー部のクリーナ用粘着式ローラーを差し込む側の形状を先細にして、楕円形に押しつぶした形状のクリーナ用粘着式ローラーを差し込みやすくすることにより、省エネタイプの粘着式カーペットクリーナーを実現化しようとするものである。
さらに、▲３▼クリーナ用粘着式ローラーを輸送する際に、クリーナ用粘着式ローラーを楕円形に押しつぶし易くするために、クリーナ用粘着式ローラーの粘着テープをローラーの軸芯方向に切り裂き、クリーナ用粘着式ローラーの紙管の一部が露出する形状にすること、及び▲４▼クリーナ用粘着式ローラーの紙管を取り除くコアレスタイプとすることにより、省エネタイプの粘着式カーペットクリーナーを実現化しようとするものである。【０００５】  特に業務用の大型の粘着式カーペットクリーナーでは、クリーナ用粘着式ローラーの紙管の厚さが３ｍｍ程度に厚くなり、多量の資材（パルプ）が使用され、重く固いため、通常のゴミとして廃棄処分をすることが困難であるばかりか、大きいためにかさばり、輸送時に紙管内部に存在する空気を運ぶこととなって輸送効率が極めて悪いことになる。
従って、クリーナ用粘着式ローラーの紙管をトイレットペーパーの紙管と同程度に極端に薄くすること及び紙管を取り除くコアレスタイプとすることは、業務用の大型の粘着式カーペットクリーナーに適用すればより効果的であり、クリーナ用粘着式ローラーを楕円形に押しつぶした形状で輸送することにより、経費の節減、エネルギーの削減等の効果が大きくなる。【０００６】  さらに、クリーナ用粘着式ローラーは、楕円形に押しつぶされた状態で顧客に販売されるため、それを使用する際には、ローラー把手器具のローラー部のクリーナ用粘着式ローラーを差し込む側の形状を先細にしたローラー把手器具を使用する必要がある。
これを使用して、楕円形になったクリーナ用粘着式ローラーを押し開きながら、ローラー把手器具のローラー部に差し込むことにより、粘着式カーペットクリーナーとして使用することができる。
【発明の効果】
【０００７】  本発明により、材料を節約し、廃棄処理を容易にするとともに、輸送コストを節減して、より安価に提供することができるとともに省エネに大きな効果がるため、製造業者にとっても顧客にとっても時代のニーズに即していることから、顧客満足度が高まり、市場の要求が高まることが予想される。
【発明を実施するための最良の形態】
【０００８】  以下、本発明のクリーナ用粘着式ローラーの切り込み方法における最良の形態について、図面を参照して説明する。
【実施例１】
【０００９】  図１は、クリーナ用粘着式ローラーの横側面図で、（Ａ）は従来からある厚さの厚い紙管１を有するクリーナ用粘着式ローラー、（Ｂ）はトイレットペーパーの紙管と同程度に極端に薄くした紙管２を有するクリーナ用粘着式ローラー、（Ｃ）はクリーナ用粘着式ローラーの粘着テープをローラーの軸芯方向に切り裂き、クリーナ用粘着式ローラーの紙管の一部を露出させた紙管３を有するクリーナ用粘着式ローラー、（Ｄ）はクリーナ用粘着式ローラーの紙管を取り除くコアレスタイプにしたクリーナ用粘着式ローラーを示す。【００１０】  図２は、一例として内径６０ｃｍ×６０ｃｍ×６０ｃｍの段ボール箱に直径１０ｃｍで横の長さが２０ｃｍのクリーナ用粘着式ローラーを３段にして梱包した場合の上部から見た断面図を示す。
（Ａ）は従来どおりの厚い紙管を有するクリーナ用粘着式ローラー４を梱包した状態、（Ｂ）は本発明にも基づき楕円形に押しつぶした形状を有するクリーナ用粘着式ローラー５を梱包した状態を示す。
（Ａ）の場合は、クリーナ用粘着式ローラーが１段に３６巻並ぶので３段にすると１０８巻を１つの段ボール箱に詰めることができる。一方（Ｂ）の場合は、クリーナ用粘着式ローラーを楕円形に押しつぶすため、１段に６０巻並ぶので３段にすると１８０巻を１つの段ボール箱に詰めることができるため輸送効率を格段に向上させることができる。【００１１】  図３は、粘着式カーペットクリーナーのローラー把手器具の斜視図を示す。
（Ａ）は従来からある円筒型のローラー部６を有する粘着式カーペットクリーナーのローラー把手器具、（Ｂ）は本発明にも基づきローラー把手器具のローラー部のクリーナ用粘着式ローラーを差し込む側の形状を先細にしたローラー部７を有する粘着式カーペットクリーナーのローラー把手器具を示す。（Ｂ）の形状にすることにより、楕円形に押しつぶした形状を有するクリーナ用粘着式ローラーをスムーズにローラー把手器具のローラー部に差し込むことができる。
【産業上の利用可能性】
【００１２】  今日では、粘着式ローラークリーナは、主としてカーペットやフローリングのゴミを取るために事務所や家庭内等広い範囲にわたって使用されており、今後とも電気掃除機と併用して使用されることが見込まれる。また、粘着式ローラークリーナは小型で軽量であるため簡便的に掃除するのに便利である。
ところが、粘着式カーペットクリーナーのクリーナ用粘着式ローラーの厚く固い紙管は、使用後の廃棄処理が困難で、かつ業務用の大型の粘着式カーペットクリーナーでは、クリーナ用粘着式ローラーの輸送時にかさばり、いわゆるクリーナ用粘着式ローラーの紙管内部に存在する空気を運ぶこととなって輸送効率が悪く、今日の省エネの社会的要求に相反する状況となっている。
そこで、本発明は、材料を節約し、廃棄処理を容易にするとともに、輸送コストを節減して、より安価な粘着式カーペットクリーナーを提供することができるとともに省エネに大きな効果がるため、製造業者にとっても顧客にとっても時代のニーズに即していることから、顧客満足度が高まり、市場の要求が高まることが予想される。
【図面の簡単な説明】
【図１】  クリーナ用粘着式ローラーの横側面図である。
【図２】  一例として内径６０ｃｍ×６０ｃｍ×６０ｃｍの段ボール箱に直径１０ｃｍで横の長さが２０ｃｍのクリーナ用粘着式ローラーを３段にして梱包した場合の上部から見た断面図である。
【図３】  粘着式カーペットクリーナーのローラー把手器具の斜視図である。
【符号の説明】  １；厚さの厚い紙管
２；極端に薄くした紙管
３；紙管の一部を露出させた紙管
４；厚い紙管を有するクリーナ用粘着式ローラー
５；楕円形に押しつぶした形状を有するクリーナ用粘着式ローラー
６；円筒型のローラー部
７；先細にしたローラー部
【図１】
2010269110.tif 000003
【図２】
2010269110.tif 000004
【図３】
2010269110.tif 000005